(57)【要約】【課題】接続された複数の電池パックを覆う蓋を１つで構成し、電子機器に対する電力の供給中に電池パックの交換を行う場合に、電力供給を行う電池パックの適切な切り替え制御を可能にする。【解決手段】複数の蓄電手段と接続可能な電子機器であって、前記電子機器は、前記複数の蓄電手段の残量を検出する検出手段と、前記複数の蓄電手段に係る交換表示を行う表示手段と、前記複数の蓄電手段を覆う１つの蓋と、前記蓋が開けられると、検出された残量が最も少ない前記蓄電手段が交換対象であることを前記表示手段に表示させると共に、検出された残量が最も少ない前記蓄電手段から負荷部へ電力供給するスイッチを遮断状態に制御し、検出された残量が最も多い前記蓄電手段から前記負荷部へ電力供給するスイッチを導通状態に制御する制御手段とを有する。【選択図】図１
2020096462.tif 000002
【特許請求の範囲】
【請求項１】
複数の蓄電手段と接続可能な電子機器であって、
前記複数の蓄電手段の残量を検出する検出手段と、
前記複数の蓄電手段に係る交換表示を行う表示手段と、
前記複数の蓄電手段を覆う１つの蓋と、
前記蓋が開けられると、検出された残量が最も少ない前記蓄電手段が交換対象であることを前記表示手段に表示させると共に、検出された残量が最も少ない前記蓄電手段から負荷部へ電力供給するスイッチを遮断状態に制御し、検出された残量が最も多い前記蓄電手段から前記負荷部へ電力供給するスイッチを導通状態に制御する制御手段と
を有することを特徴とする電子機器。
【請求項２】
前記複数の蓄電手段に対応した複数の前記表示手段を有し、
前記制御手段は、前記蓋が開けられると、検出された残量が最も少ない前記蓄電手段に対応する前記表示手段に表示を行わせることを特徴とする請求項１記載の電子機器。
【請求項３】
前記制御手段は、第１の閾値以上の残量を有する前記蓄電手段が接続されている場合、前記第１の閾値以上の残量を有する前記蓄電手段の内で残量の多い前記蓄電手段から順に、前記蓄電手段から前記負荷部へ電力供給するスイッチを導通状態に制御することを特徴とする請求項１または２記載の電子機器。
【請求項４】
前記制御手段は、残量が第２の閾値未満になると、前記第１の閾値以上の残量を有する前記蓄電手段から前記負荷部へ電力供給するスイッチを導通状態から遮断状態に制御することを特徴とする請求項３記載の電子機器。
【請求項５】
前記制御手段は、前記第１の閾値以上の残量を有する前記蓄電手段が接続されていない場合、残量の少ない前記蓄電手段から順に、前記蓄電手段から前記負荷部へ電力供給するスイッチを導通状態に制御することを特徴とする請求項３または４記載の電子機器。
【請求項６】
前記制御手段は、検出された残量が最も少ない前記蓄電手段の残量に応じて、前記表示手段による表示を変更することを特徴とする請求項１〜５の何れか１項に記載の電子機器。
【請求項７】
前記表示手段は、前記複数の蓄電手段に対応した発光素子であり、
前記制御手段は、検出された残量が最も少ない前記蓄電手段の残量に応じて、当該蓄電手段に対応する前記発光素子の点灯表示を変更することを特徴とする請求項１〜５の何れか１項に記載の電子機器。
【請求項８】
前記制御手段は、残量の少ない前記蓄電手段から順に、前記蓄電手段から前記負荷部へ電力供給するスイッチを導通状態に制御することを特徴とする請求項１または２記載の電子機器。
【請求項９】
複数の蓄電手段と接続可能な電力供給装置であって、
前記複数の蓄電手段の残量を検出する検出手段と、
前記複数の蓄電手段に係る交換表示を行う表示手段と、
前記複数の蓄電手段を覆う１つの蓋と、
前記蓋が開けられると、検出された残量が最も少ない前記蓄電手段が交換対象であることを前記表示手段に表示させると共に、検出された残量が最も少ない前記蓄電手段から電子機器へ電力供給するスイッチを遮断状態に制御し、検出された残量が最も多い前記蓄電手段から前記電子機器へ電力供給するスイッチを導通状態に制御する制御手段と
を有することを特徴とする電力供給装置。
【請求項１０】
複数の蓄電手段と接続可能な電子機器の制御方法であって、
前記複数の蓄電手段の残量を検出する検出ステップと、
前記複数の蓄電手段を覆う１つの蓋が開けられると、検出された残量が最も少ない前記蓄電手段が交換対象であることを前記複数の蓄電手段に係る交換表示を行う表示手段に表示させると共に、検出された残量が最も少ない前記蓄電手段から負荷部へ電力供給するスイッチを遮断状態に制御し、検出された残量が最も多い前記蓄電手段から前記負荷部へ電力供給するスイッチを導通状態に制御する制御ステップと
を有することを特徴とする制御方法。
【請求項１１】
複数の蓄電手段と接続可能な電子機器の制御方法をコンピュータに実行させるためのプログラムであって、
前記複数の蓄電手段の残量を検出する検出ステップと、
前記複数の蓄電手段を覆う１つの蓋が開けられると、検出された残量が最も少ない前記蓄電手段が交換対象であることを前記複数の蓄電手段に係る交換表示を行う表示手段に表示させると共に、検出された残量が最も少ない前記蓄電手段から負荷部へ電力供給するスイッチを遮断状態に制御し、検出された残量が最も多い前記蓄電手段から前記負荷部へ電力供給するスイッチを導通状態に制御する制御ステップと
をコンピュータに実行させるためのプログラム。
【発明の詳細な説明】
【技術分野】
【０００１】
本発明は、電子機器、電力供給装置、制御方法およびそれらに関連するプログラムに関する。
【背景技術】
【０００２】
電子機器に駆動電力を供給する方法として、例えばリチウムイオン二次電池を内蔵する電池パック（ＢＰ）から電力供給を行う方法が知られている。近年、電子機器の高機能化に伴って、電子機器の消費電力が増大する傾向にある。電子機器において長時間の連続動作を実現するため、電子機器に複数の電池パックを接続可能にし、電池パックを交換することにより長時間の連続動作を実現する技術がある。例えば、特許文献１には、電池の着脱時にそれぞれ独立して開閉させる蓋を設け、蓋が開けられたことを検出して電力供給を行う電池を他の電池へ切り替える技術が開示されている。
【先行技術文献】
【特許文献】
【０００３】
【特許文献１】特開２００９−２６８３４１号公報
【発明の概要】
【発明が解決しようとする課題】
【０００４】
しかしながら、特許文献１に記載の技術は、電子機器に接続可能な電池パックの数と電池パックを覆う蓋の数とが同じとなるため、カメラのように小型化が求められる電子機器には不向きであった。
そこで、本発明は、接続された複数の電池パックを覆う蓋を１つで構成し、電子機器に対する電力の供給中に電池パックの交換を行う場合に、電力供給を行う電池パックの適切な切り替え制御を可能にすることを目的とする。
【課題を解決するための手段】
【０００５】
本発明に係る電子機器は、複数の蓄電手段と接続可能な電子機器であって、前記複数の蓄電手段の残量を検出する検出手段と、前記複数の蓄電手段に係る交換表示を行う表示手段と、前記複数の蓄電手段を覆う１つの蓋と、前記蓋が開けられると、検出された残量が最も少ない前記蓄電手段が交換対象であることを前記表示手段に表示させると共に、検出された残量が最も少ない前記蓄電手段から負荷部へ電力供給するスイッチを遮断状態に制御し、検出された残量が最も多い前記蓄電手段から前記負荷部へ電力供給するスイッチを導通状態に制御する制御手段とを有する。
【０００６】
本発明に係る電力供給装置は、複数の蓄電手段と接続可能な電力供給装置であって、前記複数の蓄電手段の残量を検出する検出手段と、前記複数の蓄電手段に係る交換表示を行う表示手段と、前記複数の蓄電手段を覆う１つの蓋と、前記蓋が開けられると、検出された残量が最も少ない前記蓄電手段が交換対象であることを前記表示手段に表示させると共に、検出された残量が最も少ない前記蓄電手段から電子機器へ電力供給するスイッチを遮断状態に制御し、検出された残量が最も多い前記蓄電手段から前記電子機器へ電力供給するスイッチを導通状態に制御する制御手段とを有する。
【０００７】
本発明に係る制御方法は、複数の蓄電手段と接続可能な電子機器の制御方法であって、前記複数の蓄電手段の残量を検出する検出ステップと、前記複数の蓄電手段を覆う１つの蓋が開けられると、検出された残量が最も少ない前記蓄電手段が交換対象であることを前記複数の蓄電手段に係る交換表示を行う表示手段に表示させると共に、検出された残量が最も少ない前記蓄電手段から負荷部へ電力供給するスイッチを遮断状態に制御し、検出された残量が最も多い前記蓄電手段から前記負荷部へ電力供給するスイッチを導通状態に制御する制御ステップとを有する。
【０００８】
本発明に係るプログラムは、複数の蓄電手段と接続可能な電子機器の制御方法をコンピュータに実行させるためのプログラムであって、前記複数の蓄電手段の残量を検出する検出ステップと、前記複数の蓄電手段を覆う１つの蓋が開けられると、検出された残量が最も少ない前記蓄電手段が交換対象であることを前記複数の蓄電手段に係る交換表示を行う表示手段に表示させると共に、検出された残量が最も少ない前記蓄電手段から負荷部へ電力供給するスイッチを遮断状態に制御し、検出された残量が最も多い前記蓄電手段から前記負荷部へ電力供給するスイッチを導通状態に制御する制御ステップとをコンピュータに実行させるプログラムである。
【発明の効果】
【０００９】
本発明によれば、接続された複数の電池パックを覆う蓋を１つで構成し、かつ電子機器に対する電力の供給中に電池パックの交換を行う場合に、電力供給を行う電池パックの適切な切り替え制御を行うことが可能となる。
【図面の簡単な説明】
【００１０】
【図１】実施形態１および他の実施形態における電子機器１０１の構成例を説明するためのブロック図である。
【図２】図１に示す電子機器１０１が有する構成要素を説明するためのブロック図である。
【図３】実施形態１における切り替え制御処理の例を説明するためのフローチャートである。
【図４】実施形態１におけるＢＰ残量検出処理の例を説明するためのフローチャートである。
【図５】実施形態２における切り替え制御処理の例を説明するためのフローチャートである。
【図６】実施形態２における放電ＢＰ決定処理の例を説明するためのフローチャートである。
【図７】実施形態３における切り替え制御処理の例を説明するためのフローチャートである。
【図８】実施形態３における放電ＢＰ決定処理の例を説明するためのフローチャートである。
【図９】実施形態４における切り替え制御処理の例を説明するためのフローチャートである。
【図１０】実施形態４における点滅周期設定処理の例を説明するためのフローチャートである。
【図１１】実施形態１および他の実施形態における電子機器１１０１の他の構成例を説明するためのブロック図である。
【図１２】実施形態１および他の実施形態における電力供給装置１２０１の構成例を説明するためのブロック図である。
【発明を実施するための形態】
【００１１】
以下、本発明の実施形態を図面に基づいて説明する。ただし、本発明は以下の実施形態に限定されるものではない。
【００１２】
［実施形態１］
図１は、実施形態１における電子機器１０１の構成例を説明するためのブロック図である。
【００１３】
図１において、１０２は制御部、１０３は蓋開閉検出部、１０４はＬＥＤａ制御部、１０５は電池パック（ＢＰａ）の電圧検出部、１０６はスイッチＡ制御部、１０７はＶＣＣ入力部、１０８はスイッチＢ制御部である。１０９は電池パック（ＢＰｂ）の電圧検出部、１１０はＬＥＤｂ制御部、１１１はＧＮＤ接続部、１１２は負荷部、１１３は負荷部の電源入力部、１１４は負荷部のＧＮＤ接続部、１１５はスイッチＡ、１１６はスイッチＢ、１１７は電池蓋スイッチである。
【００１４】
また、１１８はＬＥＤａ、１１９は電池パック（ＢＰａ）の正極入力部、１２０は電池パック（ＢＰａ）の負極入力部、１２１は電池パック（ＢＰｂ）の正極入力部、１２２は電池パック（ＢＰｂ）の負極入力部、１２３はＬＥＤｂ、１２４は電池蓋である。１２５は電池パック（ＢＰａ）、１２６は電池セルＡ、１２７は電池パック（ＢＰａ）の正極端子、１２８は電池パック（ＢＰａ）の負極端子である。１２９は電池パック（ＢＰｂ）、１３０は電池セルＢ、１３１は電池パック（ＢＰｂ）の正極端子、１３２は電池パック（ＢＰｂ）の負極端子である。１５１は各種情報を記憶するメモリである。
【００１５】
図１に示す電子機器１０１は、独立して着脱可能な複数の蓄電手段が接続可能になっており、蓄電手段としての電池パック（ＢＰａ）１２５若しくは電池パック（ＢＰｂ）１２９から電力供給を受けて動作する。スイッチＡ制御部１０６およびスイッチＢ制御部１０８は、制御部１０２によって制御される。スイッチＡ制御部１０６は、制御部１０２からの指示により、スイッチＡ１１５がオン状態またはオフ状態になるようにスイッチＡ１１５を制御する。スイッチＢ制御部１０８は、制御部１０２からの指示により、スイッチＢ１１６がオン状態またはオフ状態になるようにスイッチＢ１１６を制御する。なお、スイッチＡ１１５およびスイッチＢ１１６はいずれも、例えば電界効果トランジスタ（ＦＥＴ）で構成される。
【００１６】
電子機器１０１の電池蓋１２４が開けられて、例えば電池パック（ＢＰａ）１２５が接続されると、スイッチＡ１１５の寄生ダイオードを介してＶＣＣ入力部１０７に電力が供給されて制御部１０２が起動する。また、例えば電池パック（ＢＰｂ）１２９が接続されると、スイッチＢ１１６の寄生ダイオードを介してＶＣＣ入力部１０７に電力が供給されて制御部１０２が起動する。電池パック１２５、１２９が接続された後、電池蓋１２４は閉じられる。
【００１７】
制御部１０２は、電池パック（ＢＰａ）の電圧検出部１０５により電池パック（ＢＰａ）の正極入力部１１９の電圧を検出しており、電池パック（ＢＰｂ）の電圧検出部１０９により電池パック（ＢＰｂ）の正極入力部１２１の電圧を検出している。制御部１０２は、スイッチＡ１１５またはスイッチＢ１１６を導通状態に制御して、電池パック１２５、１２９から負荷部１１２の電源入力部１１３とＧＮＤ接続部１１４間に給電を行うことで、電子機器１０１の駆動を可能にする。制御部１０２は、電子機器１０１に電池パック（ＢＰａ）１２５または電池パック（ＢＰｂ）１２９のどちらか一方が接続された場合、電池パックが接続された側のスイッチＡ１１５またはスイッチＢ１１６を導通状態に制御する。
【００１８】
また、制御部１０２は、電子機器１０１に電池パック（ＢＰａ）１２５および電池パック（ＢＰｂ）１２９の両方が接続された場合、検出した電池パック（ＢＰａ）１２５の電圧と、検出した電池パック（ＢＰｂ）１２９の電圧を比較する。そして、実施形態１では、制御部１０２は、検出された電圧が低い側の電池パックに対応するスイッチを導通状態に制御する。その後、電圧が低い側の電池パックの電圧が減電電圧まで低下すると、制御部１０２は、電圧が低い側の電池パックに対応するスイッチを遮断状態に制御すると同時に電圧が高い側の電池パックに対応するスイッチを導通状態に制御する。これにより、電力供給を行う電池パックが切り替えられ、電圧が高い側の電池パックから負荷部１１２への給電を開始する。
【００１９】
電子機器１０１は、残量が少ない（電圧が低い）側の電池パックを、残量が残っている電池パックに交換することにより、長時間の連続駆動が可能になるように構成される。
【００２０】
次に、電池パック１２５、１２９から負荷部１１２へ電力供給中に電池蓋１２４が開けられた時に制御部１０２が行う電池パックの切り替え制御について説明する。制御部１０２は、電池蓋１２４が開けられると、電池蓋スイッチ１１７の信号が蓋開閉検出部１０３に伝達され、電池蓋１２４が開けられたと判定する。制御部１０２は、電力供給中に電池蓋１２４が開けられたと判定すると、電圧が低い側の電池パックから負荷部１１２への給電を停止すると同時に、電圧が高い側の電池パックからの給電を開始する制御を行う。
【００２１】
例えば、電圧が低い側である電池パック（ＢＰａ）１２５から負荷部１１２への給電中に電池蓋１２４が開けられたとする。このとき、制御部１０２は、スイッチＡ制御部１０６を制御してスイッチＡ１１５を遮断状態に制御すると同時に、スイッチＢ制御部１０８を制御してスイッチＢ１１６を導通状態に制御する。このようにして、制御部１０２は、電圧が低い側である電池パック（ＢＰａ）１２５から負荷部１１２への給電を、電圧が高い側である電池パック（ＢＰｂ）１２９からの給電に切り替える。さらに、制御部１０２は、ＬＥＤａ制御部１０４を制御して、電池蓋１２４の内側に配置されている発光素子であるＬＥＤａ１１８を点灯または点滅させることにより、ユーザに交換対象の電池パックが電池パック（ＢＰａ）１２５であることを通知する。
【００２２】
同様に、例えば、電圧が低い側である電池パック（ＢＰｂ）１２９から負荷部１１２への給電中に電池蓋１２４が開けられたとする。このとき、制御部１０２は、スイッチＢ制御部１０８を制御してスイッチＢ１１６を遮断状態に制御すると同時に、スイッチＡ制御部１０６を制御してスイッチＡ１１５を導通状態に制御する。このようにして、制御部１０２は、電圧が低い側である電池パック（ＢＰｂ）１２９から負荷部１１２への給電を、電圧が高い側である電池パック（ＢＰａ）１２５からの給電に切り替える。さらに、制御部１０２は、ＬＥＤｂ制御部１１０を制御して、電池蓋１２４の内側に配置されている発光素子であるＬＥＤｂ１２３を点灯または点滅させることにより、ユーザに交換対象の電池パックが電池パック（ＢＰｂ）１２９であることを通知する。
【００２３】
前述した説明では、電池パックの電圧を検出することにより、電池パックの残量を検出するが、電池パックの残量の検出方法は、これに限定されるものではない。例えば、電池パックが検出した電池セルの残量データを、電子機器１０１が通信によって取得して、電池パックの残量を検出するようにしてもよい。なお、電池パックが電池セルの残量を検出する技術は様々な文献によって開示されているため、本例では説明を省略する。
【００２４】
次に、図２を参照して、図１に示す電子機器１０１が有する構成要素を説明する。電子機器１０１が有する機能は、制御部２０１によって制御される。例えば、制御部２０１は、電圧検出部２０４による検出結果や電圧比較部２０５による比較結果等に基づいて給電部２０２を制御し、負荷部２０３に対する電力供給を行う電池パックの切り替え制御を行う。給電部２０２は、制御部２０１による制御に従って、負荷部２０３に対して電池パック（ＢＰａ）２１１からの電力を供給するか、電池パック（ＢＰｂ）２１２からの電力を供給するかを制御する。
【００２５】
電圧検出部２０４は、電子機器１０１に接続された電池パック２１１および２１２の電圧（残量）を検出し、検出結果を制御部２０１や電圧比較部２０５に出力する。電圧比較部２０５は、電圧検出部２０４により検出された電池パック２１１および２１２の電圧に係る比較処理を行い、比較結果を制御部２０１に出力する。電圧比較部２０５は、例えば電池パック２１１の電圧と電池パック２１２の電圧とを比較したり、検出された電池パック２１１の電圧と所定の閾値とを比較したり、検出された電池パック２１２の電圧と所定の閾値とを比較したりする。
【００２６】
蓋開閉検出部２０６は、電池パック２１１および２１２を覆う電池蓋の開閉状態を検出して制御部２０１に通知する。第１の表示部２０７は、電池パック（ＢＰａ）２１１に対応して設けられており、電池パック（ＢＰａ）２１１が交換対象であることをユーザに通知するためのものである。また、第２の表示部２０８は、電池パック（ＢＰｂ）２１２に対応して設けられており、電池パック（ＢＰｂ）２１２が交換対象であることをユーザに通知するためのものである。第１の表示部２０７および第２の表示部２０８は、制御部２０１によって表示状態が制御される。
【００２７】
次に、図３のフローチャートを参照して、実施形態１における切り替え制御処理の例を説明する。電子機器１０１に電池パックが接続されて制御部１０２に電力が供給されると、図３に示す処理が開始される。
【００２８】
ステップＳ３０１では、制御部１０２が、電池パック残量検出処理（ＢＰ残量検出処理）を行う。ＢＰ残量検出処理では、制御部１０２が、電池パック（ＢＰａ）の電圧検出部１０５および電池パック（ＢＰｂ）の電圧検出部１０９の出力電圧を検出して、電池パックの接続数を検出すると同時に、電池パックの残量を検出する。
【００２９】
ここで、図４のフローチャートを参照して、図３のステップＳ３０１で行われるＢＰ残量検出処理の例を説明する。
【００３０】
ステップＳ４０１では、制御部１０２が、電池パック（ＢＰａ）１２５の出力電圧を電池パック（ＢＰａ）の電圧検出部１０５で検出する。電池パック（ＢＰａ）の電圧検出部１０５で出力電圧が確認されれば、制御部１０２は電池パック（ＢＰａ）１２５が電子機器１０１に接続されていると判定する。
【００３１】
ステップＳ４０２では、制御部１０２が、電池パック（ＢＰｂ）１２９の出力電圧を電池パック（ＢＰｂ）の電圧検出部１０９で検出する。電池パック（ＢＰｂ）の電圧検出部１０９で出力電圧が確認されれば、制御部１０２は電池パック（ＢＰｂ）１２９が電子機器１０１に接続されていると判定する。なお、ステップＳ４０１およびステップＳ４０２の処理順序は順不同である。ＢＰ残量検出処理を終了すると、図３のステップＳ３０２に戻る。
【００３２】
ステップＳ３０２では、制御部１０２が、ステップＳ３０１において取得した電池パックの出力電圧を参照して、スイッチＡ制御部１０６およびスイッチＢ制御部１０８を制御し、スイッチＡ１１５とスイッチＢ１１６の内の一方を導通状態に制御する。制御部１０２は、電池パック（ＢＰａ）１２５または電池パック（ＢＰｂ）１２９の一方が接続されている場合、接続されている電池パックに対応するスイッチを導通状態に制御する。また、制御部１０２は、電池パック（ＢＰａ）１２５および電池パック（ＢＰｂ）１２９の両方が接続されている場合、出力電圧が低い電池パックに対応するスイッチを導通状態に制御する。これにより、導通状態に制御されたスイッチに対応する電池パックからの放電が行われる。
【００３３】
ステップＳ３０３では、制御部１０２が、ステップＳ３０１において検出した電池パックの接続数が複数であるか否かを判定する。電池パックの接続数が複数であると判定された場合、制御部１０２はステップＳ３０４に移行する（ステップＳ３０３でＹＥＳ）。電池パックの接続数が１つであると判定された場合、制御部１０２はステップＳ３０８に移行する（ステップＳ３０３でＮＯ）。
【００３４】
ステップＳ３０４では、制御部１０２が、現在放電中の電池パックが減電状態であるか否かを判定する。電池パックが減電状態であるかは、電池パックの出力電圧が減電電圧未満であるか否かに基づいて判定される。現在放電中の電池パックが減電状態であると判定された場合、制御部１０２はステップＳ３０７に移行する（ステップＳ３０４でＹＥＳ）。減電状態でないと判定された場合、制御部１０２はステップＳ３０５に移行する（ステップＳ３０４でＮＯ）。
【００３５】
ステップＳ３０５では、制御部１０２が、電池蓋スイッチ１１７の状態を蓋開閉検出部１０３で検出して、電池蓋１２４が開けられているか否かを検出する。電池蓋１２４が開けられていると判定された場合、制御部１０２はステップＳ３０６に移行する（ステップＳ３０５でＹＥＳ）。電池蓋１２４が閉じられていると判定された場合、制御部１０２はステップＳ３０１に移行する（ステップＳ３０５でＮＯ）。
【００３６】
ステップＳ３０６では、制御部１０２が、交換対象の電池パックを示す表示制御を行う。制御部１０２は、ステップＳ３０１において検出した電池パック（ＢＰａ）１２５と電池パック（ＢＰｂ）１２９との出力電圧を比較し、出力電圧が低い側の電池パックを表示部によって表示することにより、ユーザに交換対象の電池パックを通知する。ユーザに交換対象の電池パックを通知した後、制御部１０２はステップＳ３０７に移行する。
【００３７】
ステップＳ３０７では、制御部１０２が、出力電圧が低い側の電池パックに対応するスイッチを遮断状態に設定すると同時に、出力電圧が高い側の電池パックに対応するスイッチを導通状態に設定する。これにより、出力電圧が高い側の電池パックからの放電状態に切り替える。ステップＳ３０７の制御が終了した状態において、ユーザは表示部で表示されている側の電池パックを交換することで、電子機器１０１の連続した駆動を行うことが可能になる。出力電圧が高い側の電池パックからの放電状態に切り替えた後、制御部１０２はステップＳ３０８に移行する。
【００３８】
ステップＳ３０８では、制御部１０２が、放電終了するか否かを判定する。接続されているすべての電池パックが減電状態になり、制御部１０２が放電を終了する場合、図３のフローチャートは終了する（ステップＳ３０８でＹＥＳ）。制御部１０２が放電を終了しない場合、制御部１０２はステップＳ３０１に戻る（ステップＳ３０８でＮＯ）。
【００３９】
実施形態１によれば、接続された複数の電池パックを覆う蓋が１つで構成された電子機器１０１にて、複数の電池パックを接続して駆動中に電池パックを交換する場合でも、安定して電力供給を行う電池パックの切り替え制御を行うことが可能になる。
【００４０】
［実施形態２］
次に、図１を参照して、実施形態２における電子機器１０１の構成例を説明する。なお、実施形態２において、実施形態１で説明した構成についてはそれらの説明は省略する。実施形態２では、制御部１０２のメモリ１５１に第１の電圧の閾値Ｖｔｈ１の値を記憶している。制御部１０２は、接続される電池パックの出力電圧を検出し、出力電圧が閾値以上である電池パックが接続されている場合、出力電圧が高い電池パックから順に放電を開始するように制御を行う。
【００４１】
次に、図５のフローチャートを参照して、実施形態２における切り替え制御処理の例を説明する。電子機器１０１に電池パックが接続されて制御部１０２に電力が供給されると、図５に示す処理が開始される。
【００４２】
ステップＳ５０１では、制御部１０２が、図３のステップＳ３０１と同様にしてＢＰ残量検出処理を行う。
【００４３】
ステップＳ５０２では、制御部１０２が、図６に示す放電電池パック決定処理（放電ＢＰ決定処理）を行う。
【００４４】
ここで、図６のフローチャートを参照して、図５のステップＳ５０２で行われる放電ＢＰ決定処理の例を説明する。
【００４５】
ステップＳ６０１では、制御部１０２が、ステップＳ５０１において検出した電池パック（ＢＰａ）１２５の出力電圧を参照する。
【００４６】
ステップＳ６０２では、制御部１０２が、ステップＳ５０１において検出した電池パック（ＢＰｂ）１２９の出力電圧を参照する。
【００４７】
ステップＳ６０３では、制御部１０２が、メモリ１５１に記憶されている電圧の閾値Ｖｔｈ１を参照する。なお、ステップＳ６０１、ステップＳ６０２およびステップＳ６０３の処理順序は順不同である。
【００４８】
ステップＳ６０４では、制御部１０２が、電子機器１０１に接続されている電池パックについて、出力電圧が閾値Ｖｔｈ１以上の電池パックが接続されているか否かを判定する。出力電圧が閾値Ｖｔｈ１以上の電池パックが接続されていると判定された場合、制御部１０２はステップＳ６０５に移行する（ステップＳ６０４でＹＥＳ）。出力電圧が閾値Ｖｔｈ１以上の電池パックが接続されていないと判定された場合、制御部１０２はステップＳ６０６に移行する（ステップＳ６０４でＮＯ）。
【００４９】
ステップＳ６０５では、制御部１０２が、放電する電池パックを出力電圧が高い側の電池パックに設定し、図５のステップＳ５０３に戻る。ステップＳ６０６では、放電する電池パックを出力電圧が低い側の電池パックに設定し、図５のステップＳ５０３に戻る。
【００５０】
ステップＳ５０３では、制御部１０２が、ステップＳ５０２の放電ＢＰ決定処理により決定された電池パックに対応するスイッチを導通状態に制御する。これにより、ステップＳ５０２において決定した電池パックからの放電が行われる。
【００５１】
ステップＳ５０４では、制御部１０２が、ステップＳ５０１において検出した電池パックの接続数が複数であるか否かを判定する。電池パックの接続数が複数であると判定された場合、制御部１０２はステップＳ５０５に移行する（ステップＳ５０４でＹＥＳ）。電池パックの接続数が１つであると判定された場合、制御部１０２はステップＳ５１０に移行する（ステップＳ５０４でＮＯ）。
【００５２】
ステップＳ５０５では、制御部１０２が、現在放電中の電池パックが減電状態であるか否かを判定する。電池パックが減電状態であるかは、電池パックの出力電圧が減電電圧未満であるか否かに基づいて判定される。現在放電中の電池パックが減電状態であると判定された場合、制御部１０２はステップＳ５０８に移行する（ステップＳ５０５でＹＥＳ）。減電状態でないと判定された場合、制御部１０２はステップＳ５０６に移行する（ステップＳ５０５でＮＯ）。
【００５３】
ステップＳ５０６では、制御部１０２が、電池蓋スイッチ１１７の状態を蓋開閉検出部１０３で検出して、電池蓋１２４が開けられているか否かを検出する。電池蓋１２４が開けられていると判定された場合、制御部１０２はステップＳ５０７に移行する（ステップＳ５０６でＹＥＳ）。電池蓋１２４が閉じられていると判定された場合、制御部１０２はステップＳ５０１に移行する（ステップＳ５０６でＮＯ）。
【００５４】
ステップＳ５０７では、制御部１０２が、交換対象の電池パックを示す表示制御を行う。制御部１０２は、ステップＳ５０１において検出した電池パック（ＢＰａ）１２５と電池パック（ＢＰｂ）１２９との出力電圧を比較し、出力電圧が低い側の電池パックを表示部によって表示することにより、ユーザに交換対象の電池パックを通知する。ユーザに交換対象の電池パックを通知した後、制御部１０２はステップＳ５０８に移行する。
【００５５】
ステップＳ５０８では、制御部１０２が、現在放電中の電池パックの出力電圧と放電待機中の電池パックの出力電圧との比較を行い、出力電圧が低い側の電池パックが現在放電中の電池パックであるか否かを判定する。現在放電中の電池パックの出力電圧が放電待機中の電池パックの出力電圧よりも低いと判定された場合、制御部１０２はステップＳ５０９に移行する（ステップＳ５０８でＹＥＳ）。現在放電中の電池パックの出力電圧が放電待機中の電池パックの出力電圧よりも低くないと判定された場合、制御部１０２はステップＳ５１０に移行する（ステップＳ５０８でＮＯ）。
【００５６】
ステップＳ５０９では、制御部１０２が、現在放電中の電池パックに対応するスイッチを遮断状態に設定すると同時に、放電待機中の電池パックに対応するスイッチを導通状態に設定する。これにより、現在放電中の電池パックからの放電が遮断されると同時に、放電待機中の電池パックからの放電が開始される。放電待機中の電池パックからの放電が開始された後、制御部１０２はステップＳ５１０に移行する。なお、ステップＳ５０８において、制御部１０２が、現在放電中の電池パックの出力電圧が放電待機中の電池パックの出力電圧よりも低くないと判定した場合には、ステップＳ５０９がスキップされるので、現在放電中の電池パックからの放電が継続される。
【００５７】
ステップＳ５１０では、制御部１０２が、放電終了するか否かを判定する。接続されているすべての電池パックが減電状態になり、制御部１０２が放電を終了する場合、図５のフローチャートは終了する（ステップＳ５１０でＹＥＳ）。制御部１０２が放電を終了しない場合、制御部１０２はステップＳ５０１に戻る（ステップＳ５１０でＮＯ）。
【００５８】
実施形態２によれば、現在放電中の電池パックの減電状態を検出して他の電池パックの放電に切り替える場合に、切り替え時の電圧の変化を小さくすることが可能になり、電池パックの切り替え時に発生する電圧ノイズを抑制することが可能になる。また、出力電圧が閾値Ｖｔｈ１以上の電池パックが接続されていない場合、出力電圧が低い電池パックから順に放電を開始するように制御を行う。これにより、電力供給中に残量が少ない側の電池パックを交換する場合に、交換しない側の電池パックの残量を残しておくことが可能になり、ユーザが電池パックの交換中に電子機器１０１が減電停止することを予防することが可能になる。
【００５９】
なお、実施形態２では、制御部１０２のメモリ１５１に第１の電圧閾値Ｖｔｈ１を記憶し、出力電圧が閾値以上の電池パックが接続されている場合の制御について説明した。その他の方法として、制御部１０２のメモリ１５１に残量率の閾値〔％〕を記憶し、残量率の閾値〔％〕以上の電池パックが接続されている場合に、残量率が高い電池パックからの放電を開始するようにしてもよい。また、制御部１０２のメモリ１５１に残量の閾値〔ｍＡｈ〕の値を記憶し、残量の閾値〔ｍＡｈ〕以上の電池パックが接続されている場合に、残量が多い電池パックからの放電を開始するようにしてもよい。
【００６０】
［実施形態３］
次に、図１を参照して、実施形態３における電子機器１０１の構成例を説明する。なお、実施形態３において、実施形態１または２で説明した構成についてはそれらの説明は省略する。実施形態３では、実施形態２で示した閾値Ｖｔｈ１以上の出力電圧の電池パックから放電されている場合、放電中の電池パックの電圧が制御部１０２のメモリ１５１に記憶されている閾値Ｖｔｈ２未満になるまで放電を継続するように制御を行う。
【００６１】
次に、図７のフローチャートを参照して、実施形態３における切り替え制御処理の例を説明する。電子機器１０１に電池パックが接続されて制御部１０２に電力が供給されると、図７に示す処理が開始される。
【００６２】
ステップＳ７０１では、制御部１０２が、図３のステップＳ３０１と同様にしてＢＰ残量検出処理を行う。
【００６３】
ステップＳ７０２では、制御部１０２が、図８に示す放電電池パック決定処理（放電ＢＰ決定処理）を行う。
【００６４】
ここで、図８のフローチャートを参照して、図７のステップＳ７０２で行われる放電ＢＰ決定処理の例を説明する。
【００６５】
ステップＳ８０１では、制御部１０２が、ステップＳ７０１において検出した電池パック（ＢＰａ）１２５の出力電圧を参照する。
【００６６】
ステップＳ８０２では、制御部１０２が、ステップＳ７０１において検出した電池パック（ＢＰｂ）１２９の出力電圧を参照する。
【００６７】
ステップＳ８０３では、制御部１０２が、メモリ１５１に記憶されている電圧の閾値Ｖｔｈ１を参照する。なお、ステップＳ８０１、ステップＳ８０２およびステップＳ８０３の処理順序は順不同である。
【００６８】
ステップＳ８０４では、制御部１０２が、電子機器１０１に接続されている電池パックについて、出力電圧が閾値Ｖｔｈ１以上の電池パックが接続されているか否かを判定する。出力電圧が閾値Ｖｔｈ１以上の電池パックが接続されていると判定された場合、制御部１０２はステップＳ８０５に移行する（ステップＳ８０４でＹＥＳ）。出力電圧が閾値Ｖｔｈ１以上の電池パックが接続されていないと判定された場合、制御部１０２はステップＳ８０８に移行する（ステップＳ８０４でＮＯ）。
【００６９】
ステップＳ８０５では、制御部１０２が、メモリ１５１に記憶されている第２の電圧閾値Ｖｔｈ２を参照する。この第２の電圧閾値Ｖｔｈ２は、第１の電圧閾値Ｖｔｈ１の値以下に設定する。
【００７０】
ステップＳ８０６では、制御部１０２が、現在放電中の電池パックの出力電圧が閾値Ｖｔｈ２以上であるか否かを判定する。現在放電中の電池パックの出力電圧が閾値Ｖｔｈ２以上であると判定された場合、制御部１０２は図７のステップＳ７０３に戻る（ステップＳ８０６でＹＥＳ）。現在放電中の電池パックの出力電圧が閾値Ｖｔｈ２以上でないと判定された場合、制御部１０２はステップＳ８０７に移行する（ステップＳ８０６でＮＯ）。
【００７１】
ステップＳ８０７では、制御部１０２が、放電する電池パックを出力電圧が高い側の電池パックに設定し、図７のステップＳ７０３に戻る。ステップＳ８０８では、放電する電池パックを出力電圧が低い側の電池パックに設定し、図７のステップＳ７０３に戻る。
【００７２】
ステップＳ７０３では、制御部１０２が、ステップＳ７０２の放電ＢＰ決定処理により決定された電池パックに対応するスイッチを導通状態に制御する。これにより、ステップＳ７０２において決定した電池パックからの放電が行われる。
【００７３】
ステップＳ７０４では、制御部１０２が、ステップＳ７０１において検出した電池パックの接続数が複数であるか否かを判定する。電池パックの接続数が複数であると判定された場合、制御部１０２はステップＳ７０５に移行する（ステップＳ７０４でＹＥＳ）。電池パックの接続数が１つであると判定された場合、制御部１０２はステップＳ７１０に移行する（ステップＳ７０４でＮＯ）。
【００７４】
ステップＳ７０５では、制御部１０２が、現在放電中の電池パックが減電状態であるか否かを判定する。電池パックが減電状態であるかは、電池パックの出力電圧が減電電圧未満であるか否かに基づいて判定される。現在放電中の電池パックが減電状態であると判定された場合、制御部１０２はステップＳ７０８に移行する（ステップＳ７０５でＹＥＳ）。減電状態でないと判定された場合、制御部１０２はステップＳ７０６に移行する（ステップＳ７０５でＮＯ）。
【００７５】
ステップＳ７０６では、制御部１０２が、電池蓋スイッチ１１７の状態を蓋開閉検出部１０３で検出して、電池蓋１２４が開けられているか否かを検出する。電池蓋１２４が開けられていると判定された場合、制御部１０２はステップＳ７０７に移行する（ステップＳ７０６でＹＥＳ）。電池蓋１２４が閉じられていると判定された場合、制御部１０２はステップＳ７０１に移行する（ステップＳ７０６でＮＯ）。
【００７６】
ステップＳ７０７では、制御部１０２が、交換対象の電池パックを示す表示制御を行う。制御部１０２は、ステップＳ７０１において検出した電池パック（ＢＰａ）１２５と電池パック（ＢＰｂ）１２９との出力電圧を比較し、出力電圧が低い側の電池パックを表示部によって表示することにより、ユーザに交換対象の電池パックを通知する。ユーザに交換対象の電池パックを通知した後、制御部１０２はステップＳ７０８に移行する。
【００７７】
ステップＳ７０８では、制御部１０２が、現在放電中の電池パックの出力電圧と放電待機中の電池パックの出力電圧との比較を行い、出力電圧が低い側の電池パックが現在放電中の電池パックであるか否かを判定する。現在放電中の電池パックの出力電圧が放電待機中の電池パックの出力電圧よりも低いと判定された場合、制御部１０２はステップＳ７０９に移行する（ステップＳ７０８でＹＥＳ）。現在放電中の電池パックの出力電圧が放電待機中の電池パックの出力電圧よりも低くないと判定された場合、制御部１０２はステップＳ７１０に移行する（ステップＳ７０８でＮＯ）。
【００７８】
ステップＳ７０９では、制御部１０２が、現在放電中の電池パックに対応するスイッチを遮断状態に設定すると同時に、放電待機中の電池パックに対応するスイッチを導通状態に設定する。これにより、現在放電中の電池パックからの放電が遮断されると同時に、放電待機中の電池パックからの放電が開始される。放電待機中の電池パックからの放電が開始された後、制御部１０２はステップＳ７１０に移行する。なお、ステップＳ７０８において、制御部１０２が、現在放電中の電池パックの出力電圧が放電待機中の電池パックの出力電圧よりも低くないと判定した場合には、ステップＳ７０９がスキップされるので、現在放電中の電池パックからの放電が継続される。
【００７９】
ステップＳ７１０では、制御部１０２が、放電終了するか否かを判定する。接続されているすべての電池パックが減電状態になり、制御部１０２が放電を終了する場合、図７のフローチャートは終了する（ステップＳ７１０でＹＥＳ）。制御部１０２が放電を終了しない場合、制御部１０２はステップＳ７０１に戻る（ステップＳ７１０でＮＯ）。
【００８０】
実施形態３によれば、出力電圧が設定した閾値未満になるまで放電を継続することで、出力電圧が高い電池パックからの放電中に頻繁に放電を行う電池パックの切り替えが行われることがなくなる。したがって、電力供給を行う電池パックの切り替え時に発生するノイズによる誤動作のリスクを軽減することが可能になる。
【００８１】
［実施形態４］
次に、図１を参照して、実施形態４における電子機器１０１の構成例を説明する。なお、実施形態４において、実施形態１、２または３で説明した構成についてはそれらの説明は省略する。実施形態４では、制御部１０２のメモリ１５１に、発光素子であるＬＥＤａ１１８およびＬＥＤｂ１２３の点灯表示の変更を行うための電圧閾値Ｖｔｈ３、Ｖｔｈ４を記憶している。制御部１０２は、出力電圧が高い側の電池パックの出力電圧を検出し、電圧閾値Ｖｔｈ３、Ｖｔｈ４と比較した結果に応じて、交換を行う電池パックの点灯表示を変更する。この表示方法は、例えば、ユーザが電池パックを交換する場合に、誤動作をせずに交換可能な時間の目安として利用することが可能である。
【００８２】
次に、図９のフローチャートを参照して、実施形態４における切り替え制御処理の例を説明する。電子機器１０１に電池パックが接続されて制御部１０２に電力が供給されると、図９に示す処理が開始される。なお、以下の説明において、閾値Ｖｔｈ３は閾値Ｖｔｈ４より大きい値であるとする。
【００８３】
ステップＳ９０１では、制御部１０２が、図３のステップＳ３０１と同様にしてＢＰ残量検出処理を行う。
【００８４】
ステップＳ９０２では、制御部１０２が、図８に示す放電電池パック決定処理（放電ＢＰ決定処理）を行う。図８に示す放電ＢＰ決定処理は実施形態３で説明したのでその説明を省略する。
【００８５】
ステップＳ９０３では、制御部１０２が、ステップＳ９０２の放電ＢＰ決定処理により決定された電池パックに対応するスイッチを導通状態に制御する。これにより、ステップＳ９０２において決定した電池パックからの放電が行われる。
【００８６】
ステップＳ９０４では、制御部１０２が、ステップＳ９０１において検出した電池パックの接続数が複数であるか否かを判定する。電池パックの接続数が複数であると判定された場合、制御部１０２はステップＳ９０５に移行する（ステップＳ９０４でＹＥＳ）。電池パックの接続数が１つであると判定された場合、制御部１０２はステップＳ９１１に移行する（ステップＳ９０４でＮＯ）。
【００８７】
ステップＳ９０５では、制御部１０２が、現在放電中の電池パックが減電状態であるか否かを判定する。電池パックが減電状態であるかは、電池パックの出力電圧が減電電圧未満であるか否かに基づいて判定される。現在放電中の電池パックが減電状態であると判定された場合、制御部１０２はステップＳ９０９に移行する（ステップＳ９０５でＹＥＳ）。減電状態でないと判定された場合、制御部１０２はステップＳ９０６に移行する（ステップＳ９０５でＮＯ）。
【００８８】
ステップＳ９０６では、制御部１０２が、電池蓋スイッチ１１７の状態を蓋開閉検出部１０３で検出して、電池蓋１２４が開けられているか否かを検出する。電池蓋１２４が開けられていると判定された場合、制御部１０２はステップＳ９０７に移行する（ステップＳ９０６でＹＥＳ）。電池蓋１２４が閉じられていると判定された場合、制御部１０２はステップＳ９０１に移行する（ステップＳ９０６でＮＯ）。
【００８９】
ステップＳ９０７では、制御部１０２が、図１０に示す点滅周期設定処理を行う。この点滅周期設定処理は、ステップＳ９０８において行う電池パックの交換表示に係る設定処理である。
【００９０】
ここで、図１０のフローチャートを参照して、図９のステップＳ９０７で行われる点滅周期設定処理の例を説明する。
【００９１】
ステップＳ１００１では、制御部１０２が、ステップＳ９０１において検出した電池パック（ＢＰａ）１２５の出力電圧を参照する。
【００９２】
ステップＳ１００２では、制御部１０２が、ステップＳ９０１において検出した電池パック（ＢＰｂ）１２９の出力電圧を参照する。
【００９３】
ステップＳ１００３では、制御部１０２が、メモリ１５１に記憶されている電圧の閾値Ｖｔｈ３およびＶｔｈ４を参照する。なお、ステップＳ１００１、ステップＳ１００２およびステップＳ１００３の処理順序は順不同である。
【００９４】
ステップＳ１００４では、制御部１０２が、電子機器１０１に接続されている電池パックについて、出力電圧が高い側の電池パックの出力電圧が閾値Ｖｔｈ３以上であるか否かを判定する。出力電圧が高い側の電池パックの出力電圧が閾値Ｖｔｈ３以上であると判定された場合、制御部１０２はステップＳ１００５に移行する（ステップＳ１００４でＹＥＳ）。出力電圧が高い側の電池パックの出力電圧が閾値Ｖｔｈ３未満であると判定された場合、制御部１０２はステップＳ１００６に移行する（ステップＳ１００４でＮＯ）。
【００９５】
ステップＳ１００５では、制御部１０２が、電池パックの交換表示を連続点灯に設定し、図９のステップＳ９０８に戻る。
【００９６】
ステップＳ１００６では、制御部１０２が、電子機器１０１に接続されている電池パックについて、出力電圧が高い側の電池パックの出力電圧が閾値Ｖｔｈ４以上であるか否かを判定する。出力電圧が高い側の電池パックの出力電圧が閾値Ｖｔｈ４以上であると判定された場合、制御部１０２はステップＳ１００７に移行する（ステップＳ１００６でＹＥＳ）。出力電圧が高い側の電池パックの出力電圧が閾値Ｖｔｈ４未満であると判定された場合、制御部１０２はステップＳ１００８に移行する（ステップＳ１００６でＮＯ）。
【００９７】
ステップＳ１００７では、制御部１０２が、例えば電池パックの交換表示を１Ｈｚ点滅に設定し、図９のステップＳ９０８に戻る。
【００９８】
ステップＳ１００８では、制御部１０２が、例えば電池パックの交換表示を４Ｈｚ点滅に設定し、図９のステップＳ９０８に戻る。
【００９９】
ステップＳ９０８では、制御部１０２が、交換対象の電池パックを示す表示制御を行う。制御部１０２は、ステップＳ９０１において検出した電池パック（ＢＰａ）１２５と電池パック（ＢＰｂ）１２９との出力電圧を比較し、出力電圧が低い側の電池パックを表示部によって表示することにより、ユーザに交換対象の電池パックを通知する。ユーザに交換対象の電池パックを通知した後、制御部１０２はステップＳ９０９に移行する。
【０１００】
ステップＳ９０９では、制御部１０２が、現在放電中の電池パックの出力電圧と放電待機中の電池パックの出力電圧との比較を行い、出力電圧が低い側の電池パックが現在放電中の電池パックであるか否かを判定する。現在放電中の電池パックの出力電圧が放電待機中の電池パックの出力電圧よりも低いと判定された場合、制御部１０２はステップＳ９１０に移行する（ステップＳ９０９でＹＥＳ）。現在放電中の電池パックの出力電圧が放電待機中の電池パックの出力電圧よりも低くないと判定された場合、制御部１０２はステップＳ９１１に移行する（ステップＳ９０９でＮＯ）。
【０１０１】
ステップＳ９１０では、制御部１０２が、現在放電中の電池パックに対応するスイッチを遮断状態に設定すると同時に、放電待機中の電池パックに対応するスイッチを導通状態に設定する。これにより、現在放電中の電池パックからの放電が遮断されると同時に、放電待機中の電池パックからの放電が開始される。放電待機中の電池パックからの放電が開始された後、制御部１０２はステップＳ９１１に移行する。なお、ステップＳ９０９において、制御部１０２が、現在放電中の電池パックの出力電圧が放電待機中の電池パックの出力電圧よりも低くないと判定した場合には、ステップＳ９１０がスキップされるので、現在放電中の電池パックからの放電が継続される。
【０１０２】
ステップＳ９１１では、制御部１０２が、放電終了するか否かを判定する。接続されているすべての電池パックが減電状態になり、制御部１０２が放電を終了する場合、図９のフローチャートは終了する（ステップＳ９１１でＹＥＳ）。制御部１０２が放電を終了しない場合、制御部１０２はステップＳ９０１に戻る（ステップＳ９１１でＮＯ）。
【０１０３】
実施形態４によれば、ユーザが電池パックの交換を行う場合において、一方の電池パックが取り外されてから充電済みの別の電池パックが接続されるまでの時間の余裕度を認知することが可能になる。
【０１０４】
なお、実施形態１〜４において、電子機器１０１は、電池パックが交換に適する条件になったときに電池パックの交換を促す表示によりユーザへの通知を行ってもよい。
【０１０５】
また、実施形態１〜４における電子機器１０１は、例えば図１１に示すような構成としてもよい。図１１は、実施形態１〜４における電子機器１１０１の他の構成例を説明するためのブロック図である。図１１において、図１で説明した構成要素と同一の構成要素についてはそれらの説明を省略する。図１１において、１１０２は電池蓋、１１０３ａおよび１１０３ｂは防水部材である。
【０１０６】
図１１に示す電子機器１１０１では、電子機器１１０１と電池蓋１１０２の間の接触部に防水部材１１０３ａ、１１０３ｂを用いている。このような構成とすることで、電池パック（ＢＰａ）１２５、電池パック（ＢＰｂ）１２９、電池蓋スイッチ１１７、ＬＥＤａ１１８、ＬＥＤｂ１２３および電池端子等の内部構造の防塵防滴が確保される。
【０１０７】
また、実施形態１〜４では、電子機器１０１に電池パックを接続するようにしているが、図１２に示すように、電池パックが接続される電力供給装置１２０１と電子機器１２０５とが別体となる構成としてもよい。図１２は、電子機器１２０５と電力供給装置１２０１とが取り外し可能に構成された例を示している。図１２において、図１または図１１で説明した構成要素と同一の構成要素についてはそれらの説明を省略する。
【０１０８】
図１２において、１２０２は制御部、１２０３は正極出力部、１２０４は負極出力部である。また、１２０６は制御回路、１２０７は正極入力部、１２０８は負極入力部である。
【０１０９】
電力供給装置１２０１の電池蓋１１０２が開けられて、例えば電池パック（ＢＰａ）１２５が接続されると、スイッチＡ１１５の寄生ダイオードを介してＶＣＣ入力部１０７に電力が供給されて、制御部１２０２が起動する。また、例えば電池パック（ＢＰｂ）１２９が接続されると、スイッチＢ１１６の寄生ダイオードを介してＶＣＣ入力部１０７に電力が供給されて、制御部１２０２が起動する。制御部１２０２が起動してからの動作は、前述した制御部１０２の動作と同様であるので説明は省略する。
【０１１０】
図１２に示す例は、電力供給装置１２０１から電子機器１２０５に電力が供給されることで、制御回路１２０６への給電がなされる構成となっている。これにより、電子機器１２０５と電力供給装置１２０１とが取り外し可能な構成であっても、電池パックの交換により長時間の連続動作が可能になる。
【０１１１】
実施形態１〜４における電子機器１０１、１１０１または１２０５は、例えばデジタルカメラとして動作可能であるが、電子回路を内蔵する機器であれば、どのような機器であってもよい。例えば、電子機器１０１、１１０１または１２０５は、電動車両、ドローン等の移動可能な機器として動作可能であってもよい。
【０１１２】
［実施形態５］
実施形態１、２、３または４で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどがプログラムを用いて実現することもできる。以下、実施形態５では、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどを「コンピュータＸ」と呼ぶ。また、実施形態５では、コンピュータＸを制御するためのプログラムであって、実施形態１、２、３または４で説明した様々な機能、処理または方法を実現するためのプログラムを「プログラムＹ」と呼ぶ。
【０１１３】
実施形態１、２、３または４で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態５におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも１つを含む。実施形態５におけるコンピュータ読み取り可能な記憶媒体は、ｎｏｎ−ｔｒａｎｓｉｔｏｒｙな記憶媒体である。
【０１１４】
なお、本発明の実施形態は上述の実施形態１、２、３または４に限定されるものではない。発明の要旨を逸脱しない範囲で変更または修正された実施形態１、２、３または４も本発明の実施形態に含まれる。
【符号の説明】
【０１１５】
１０１：電子機器  １０２：制御部  １０３：蓋開閉検出部  １０４、１１０：ＬＥＤ制御部  １０５、１０９：電圧検出部  １０６、１０８：スイッチ制御部  １１２：負荷部  １１５、１１６：スイッチ  １１７：電池蓋スイッチ  １１８、１２３：ＬＥＤ  １２４：電池蓋  １２５、１２９：電池パック  １５１：メモリ
【図１】
2020096462.tif 000003
【図２】
2020096462.tif 000004
【図３】
2020096462.tif 000005
【図４】
2020096462.tif 000006
【図５】
2020096462.tif 000007
【図６】
2020096462.tif 000008
【図７】
2020096462.tif 000009
【図８】
2020096462.tif 000010
【図９】
2020096462.tif 000011
【図１０】
2020096462.tif 000012
【図１１】
2020096462.tif 000013
【図１２】
2020096462.tif 000014